(57)【要約】【課題】  加工が容易で、複数本のＰＣ鋼より線の一括緊張・定着を可能にするポストテンション方式ＰＣ床版用扁平型定着具、及び同定着具を用いたポストテンション方式ＰＣ床版、並びに同ポストテンション方式ＰＣ床版の構築方法を提供する。【解決手段】  ポストテンション方式によってコンクリート床版にプレストレスを導入するための扁平型定着具が、ＰＣ鋼より線を緊張・定着するための複数のウエッジ装着用テーパ孔が軸線をアンカーヘッドの平面状の表面に対して直交させ互いに平行になるように穿設されたアンカーヘッドと、それに対応するようトランペット状管部の長さを調整された支圧板とからなり、前記アンカーヘッドを使用し該アンカーヘッドから平行に引き出された複数本のＰＣ鋼より線を同一方向に一度に緊張・定着できるジャッキによって一括緊張・定着するとともに、並列配設されたケーブルシースをホースによって直列に接続してグラウトを注入するポストテンション方式ＰＣ床版構築方法による。【選択図】  図１
2008231700.tif 000002
【特許請求の範囲】
【請求項１】
緊張材のＰＣ鋼より線３を緊張・定着するウエッジ装着用テーパ孔１ａが複数穿設されてなる直方体状のアンカーヘッド１を備え、打設されたコンクリート床版にポストテンション方式によってプレストレスが導入されるポストテンション方式ＰＣ床版用扁平型定着具において、そのそれぞれのウエッジ装着用のテーパ孔１ａが、いずれもその軸線をアンカーヘッド１の平面状の表面に対して直交させ互いに平行になるように穿設されてなることを特徴とするポストテンション方式ＰＣ床版用扁平型定着具。
【請求項２】
前記アンカーヘッド１の複数のウエッジ装着用テーパ孔１ａが、長方形状をなすアンカーヘッド１の表面の長辺に平行な直線上に等間隔で穿設されてなることを特徴とする請求項１に記載のポストテンション方式ＰＣ床版用扁平型定着具。
【請求項３】
前記アンカーヘッド１に穿設されたウエッジ装着用テーパ孔１ａの先端部でＰＣ鋼より線３が内側に折り曲げられる角度αが、前記アンカーヘッド１の最外縁部のウエッジ装着用テーパ孔１ａにおいても、該ＰＣ鋼より線３に許容される折り曲げ角度６°以内となるよう、支圧板２の支圧板部２ａからケーブルシース結合部２ｃまでのトランペット状管部２ｂの長さが調整されてなることを特徴とする請求項１又は２に記載のポストテンション方式ＰＣ床版用扁平型定着具。
【請求項４】
請求項１〜３のいずれか１項に記載のポストテンション方式ＰＣ床版用扁平定着具が、コンクリート床版６内に埋設された扁平型ケーブルシース５の両端に接続され、前記扁平型ケーブルシース５に挿通された複数本のＰＣ鋼より線３を緊張・定着して、前記コンクリート床版６にプレストレスを導入してなることを特徴とするポストテンション方式ＰＣ床版。
【請求項５】
請求項１〜３のいずれか１項に記載のポストテンション方式ＰＣ床版用扁平定着具を、コンクリート床版６内に埋設された扁平型ケーブルシース５の両端に接続し、前記扁平型ケーブルシース５に挿通された複数本のＰＣ鋼より線３をそれぞれアンカーヘッド１のウエッジ装着用テーパ孔１ａから引き出して、前記アンカーヘッド１のウェッジ装着用テーパ孔１ａにウエッジ４を嵌入して緊張した後、定着して前記コンクリート床版６にプレストレスを導入し、支圧板２のトランペット状管部２ｂ及び扁平型ケーブルシース５内にグラウトを注入してコンクリート床版６とＰＣ鋼より線３とを一体化することを特徴とするポストテンション方式ＰＣ床版の構築方法。
【請求項６】
前記扁平型ケーブルシース５内に挿通され、前記アンカーヘッド１の平面状の表面に対して直交させ互いに平行になるように穿設された複数のウエッジ装着用テーパ孔１ａから引き出されて平行状態となっている複数本のＰＣ鋼より線３の端部を、複数本のケーブルを把持して同一方向に同時に引張・緊張できるジャッキによって一度に緊張することを特徴とする請求項５に記載のポストテンション方式ＰＣ床版の構築方法。
【請求項７】
打設されたコンクリート床版６内に、複数の扁平型ケーブルシース５が並列して配設されたポストテンション方式のＰＣ床版において、前記扁平型ケーブルシース５内に挿通されたＰＣ鋼より線３が緊張・定着された後に行われる支圧板２のトランペット状管部２ｂ内と前記扁平型ケーブルシース５内へのグラウト注入が、
第１の扁平型ケーブルシース５のグラウト注入側に接続された前記ポストテンション方式ＰＣ床版用扁平型定着具のグラウト注入口２ｄに圧送ポンプを接続し、この第１の扁平型ケーブルシースのグラウト排出側に接続された前記ポストテンション方式ＰＣ床版用扁平型定着具のグラウト排出口と第１の扁平型ケーブルシースに隣接する第２の扁平型ケーブルシースのグラウト注入側の前記ポストテンション方式ＰＣ床版用扁平型定着具のグラウト注入口とをホース７により直列に接続し、
さらに第３、第４……の扁平型ケーブルシース５……が配設される場合には、前記第１と第２の扁平型ケーブルシース５、５間の接続と同様の接続を繰り返すことによって、すべての扁平型ケーブルシース５……を直列に接続し、
そして接続の最後となった扁平型ケーブルシース５のグラウト排出側に接続された前記ポストテンション方式ＰＣ床版用扁平型定着具のグラウト排出口２ｄに真空ポンプを接続した後、前記真空ポンプにより前記複数の扁平型ケーブルシース内を減圧しながら、前記圧送ポンプを連続運転して、前記複数の扁平型ケーブルシース内に一度にグラウトを注入・充填することを特徴とする請求項５又は６に記載のポストテンション方式ＰＣ床版の構築方法。
【発明の詳細な説明】
【技術分野】
【０００１】
本願発明は、ポストテンション方式ＰＣ床版を構築する際、ＰＣ鋼より線を緊張・定着するポストテンション方式ＰＣ床版用扁平型定着具のアンカーヘッド及び支圧板の構造、及び前記定着具を使用したポストテンション方式ＰＣ床版、並びに同ポストテンション方式ＰＣ床版の構築方法に関する。
【背景技術】
【０００２】
床版等薄肉厚のコンクリート部材にプレストレスを導入する工法としては、扁平形状の定着具と扁平形状のケーブルシースを用い、前記扁平形状のケーブルシース内に挿入した複数本のＰＣ鋼より線を前記扁平形状の定着具のトランペット状管部で扇状に開き、その先端をアンカーヘッドの長辺に沿って一列に穿設されたウエッジ装着用テーパ孔に挿通し、前記ＰＣ鋼より線をジャッキ等で緊張しながら前記テーパ孔の内壁とＰＣ鋼より線間にウエッジを嵌入して、ＰＣ鋼より線を緊張・定着することにより前記コンクリート部材にプレストレスを導入するもの（図５参照）や、前記トランペット状管部で扇状に開かれた複数本のＰＣ鋼より線を１本ごとに、支圧板上に一列に配設したグリップのウエッジ装着用テーパ孔にウエッジを嵌入して、前記ＰＣ鋼より線を１本ごとに緊張・定着して前記コンクリート部材にプレストレスを導入するもの（図６参照）が一般的であった。
そして前記ウエッジ装着用テーパ孔は、その先端部でＰＣ鋼より線が折れ曲がることによってＰＣ鋼より線やウエッジの定着作用が弱まることを考慮して扇形に開いた各ＰＣ鋼より線の中心軸からの開き角度と等しくなるような傾きを持って穿設され、また、支圧板とアンカーヘッドとの当接面が各ＰＣ鋼より線と直交するように曲面としたり、グリッドとの当接面ごとにその傾斜角が異なる傾斜面としたりすることがなされてきた。したがって、アンカーヘッドや支圧板の加工が容易でなく、コストがかかるばかりでなく、複数のＰＣ鋼より線の緊張方向がそれぞれ異なるので、一本ごとにジャッキで緊張する必要があり、ポストテンション方式ＰＣ床版の構築に時間がかかるという問題があった。
【発明の開示】
【発明が解決しようとする課題】
【０００３】
本願発明は、上記背景技術に鑑みて、加工が容易で、複数本のＰＣ鋼より線の一括緊張を可能にするポストテンション方式ＰＣ床版用扁平型定着具、及び同定着具を用いたポストテンション方式ＰＣ床版、並びに同ポストテンション方式ＰＣ床版の構築方法を提供するものである。
【課題を解決するための手段】
【０００４】
本発明者らは、、上記課題を下記の手段によって解決した。
（１）緊張材のＰＣ鋼より線３を緊張・定着するウエッジ装着用テーパ孔１ａが複数穿設されてなる直方体状のアンカーヘッド１を備え、打設されたコンクリート床版にポストテンション方式によってプレストレスが導入されるポストテンション方式ＰＣ床版用扁平型定着具において、そのそれぞれのウエッジ装着用のテーパ孔１ａが、いずれもその軸線をアンカーヘッド１の平面状の表面に対して直交させ互いに平行になるように穿設されてなることを特徴とするポストテンション方式ＰＣ床版用扁平型定着具。
（２）前記アンカーヘッドの複数のウエッジ装着用テーパ孔が、長方形状をなすアンカーヘッド表面の長辺に平行な直線上に等間隔に穿設されてなることを特徴とする前項（１）に記載のポストテンション方式ＰＣ床版用扁平型定着具。
（３）前記アンカーヘッド１に穿設されたウエッジ装着用テーパ孔１ａの先端部でＰＣ鋼より線３が内側に折り曲げられる角度αが、前記アンカーヘッド１の最外縁部のウエッジ装着用テーパ孔１ａにおいても、該ＰＣ鋼より線３に許容される折り曲げ角度６°以内となるよう、支圧板２の支圧板部２ａからケーブルシース結合部２ｃまでのトランペット状管部２ｂの長さが調整されてなることを前項（１）又は（２）に記載のポストテンション方式ＰＣ床版用扁平型定着具。
【０００５】
（４）前項（１）〜（３）のいずれか１項に記載のポストテンション方式ＰＣ床版用扁平定着具が、コンクリート床版内に埋設された扁平型ケーブルシースの両端に接続され、前記扁平型ケーブルシースに挿通された複数本のＰＣ鋼より線を緊張・定着して、前記コンクリート床版にプレストレスを導入してなることを特徴とするポストテンション方式ＰＣ床版。
【０００６】
（５）前項（１）〜（３）のいずれか１項に記載のポストテンション方式ＰＣ床版用扁平定着具を、コンクリート床版６内に埋設された扁平型ケーブルシース５の両端に接続し、前記扁平型ケーブルシース５に挿通された複数本のＰＣ鋼より線３をそれぞれアンカーヘッド１のウエッジ装着用テーパ孔１ａから引き出して、前記アンカーヘッド１のウェッジ装着用テーパ孔１ａにウエッジ４を嵌入して緊張した後、定着して前記コンクリート床版６にプレストレスを導入し、支圧板２のトランペット状管部２ｂ及び扁平型ケーブルシース５内にグラウトを注入してコンクリート床版６とＰＣ鋼より線３とを一体化することを特徴とするポストテンション方式ＰＣ床版の構築方法。
（６）前記扁平型ケーブルシース５内に挿通され、前記アンカーヘッド１の平面状の表面に対して直交させ互いに平行になるように穿設された複数のウエッジ装着用テーパ孔１ａから引き出されて平行状態となっている複数本のＰＣ鋼より線３の端部を、複数本のケーブルを把持して同一方向に同時に引張・緊張できるジャッキによって一度に緊張することを特徴とする前項（５）に記載のポストテンション方式ＰＣ床版の構築方法。
【０００７】
（７）打設されたコンクリート床版６内に、複数の扁平型ケーブルシース５が並列して配設されたポストテンション方式のＰＣ床版において、前記扁平型ケーブルシース５内に挿通されたＰＣ鋼より線３が緊張・定着された後に行われる支圧板２のトランペット状管部２ｂ内と前記扁平型ケーブルシース５内へのグラウト注入が、
第１の扁平型ケーブルシース５のグラウト注入側に接続された前記ポストテンション方式ＰＣ床版用扁平型定着具のグラウト注入口２ｄに圧送ポンプを接続し、この第１の扁平型ケーブルシースのグラウト排出側に接続された前記ポストテンション方式ＰＣ床版用扁平型定着具のグラウト排出口と第１の扁平型ケーブルシースに隣接する第２の扁平型ケーブルシースのグラウト注入側の前記ポストテンション方式ＰＣ床版用扁平型定着具のグラウト注入口とをホース７により直列に接続し、
さらに第３、第４……の扁平型ケーブルシース５……が配設される場合には、前記第１と第２の扁平型ケーブルシース５、５間の接続と同様の接続を繰り返すことによって、すべての扁平型ケーブルシース５……を直列に接続し、
そして接続の最後となった扁平型ケーブルシース５のグラウト排出側に接続された前記ポストテンション方式ＰＣ床版用扁平型定着具のグラウト排出口２ｄに真空ポンプを接続した後、前記真空ポンプにより前記複数の扁平型ケーブルシース内を減圧しながら、前記圧送ポンプを連続運転して、前記複数の扁平型ケーブルシース内に一度にグラウトを注入・充填することを特徴とする前項（５）又は（６）に記載のポストテンション方式ＰＣ床版の構築方法。
【発明の効果】
【０００８】
〈１〉緊張材のＰＣ鋼より線を緊張・定着するウエッジ装着用テーパ孔が複数穿設されてなる直方体状のアンカーヘッドを備え、打設されたコンクリート床版にポストテンション方式によってプレストレスが導入されるポストテンション方式ＰＣ床版用扁平型定着具において、そのそれぞれのウエッジ装着用のテーパ孔が、いずれもその軸線を、アンカーヘッド１の平面状の表面に対して直交させ互いに平行になるように穿設されているので、アンカーヘッドの加工が容易で、ポストテンション方式ＰＣ床版用扁平型定着具のコストダウンが図れる。
〈２〉前記アンカーヘッドの複数のウエッジ装着用テーパ孔が、いずれもその軸線を、アンカーヘッドの平面状の表面に対して直交させ互いに平行になるように穿設されていることから、その先端部でＰＣ鋼より線が内側に折り曲げられるが、その角度αが前記アンカーヘッドの最外縁部のウエッジ装着用テーパ孔においても、該ＰＣ鋼より線に許容される折り曲げ角度６°以内となるよう支圧板のアンカーヘッド受け台部からケーブルシース結合部までのトランペット状管部の長さが調整されているので、前記ＰＣ鋼より線の引張強度としては、９５％以上の定着効率［（定着されたときの緊張材の引張強度／緊張時の引張強度）×１００］が保証される。
【０００９】
〈３〉前記アンカーヘッドに穿設される複数のウエッジ装着用テーパ孔が、いずれもその軸線をアンカーヘッドの平面状の表面に対して直交し互いに平行になるように穿設されているので、前記複数のウエッジ装着用テーパ孔からは複数本のＰＣ鋼より線が平行状態で引き出されることから、複数本のＰＣ鋼より線を把持して、同一方向に同時に緊張・定着できるジャッキを用いて一度に緊張することができ、ＰＣ鋼より線緊張時間の短縮と省力化が図れ、ポストテンション方式ＰＣ床版用扁平型定着具のコストダウンと相まってＰＣ床版構築経費の低廉化が図れる。
〈４〉打設されたコンクリート床版内に、複数の扁平型ケーブルシースが並列して配設されたポストテンション方式のＰＣ床版において、前記扁平型ケーブルシース内に挿通されたＰＣ鋼より線が緊張・定着された後に行われる支圧板のトランペット状管部内と前記扁平型ケーブルシース内へのグラウト注入が、隣り合うポストテンション方式ＰＣ床版用扁平型定着具のグラウト注入口を相互にホースで連結することによって、複数本のケーブルシースを直列に接続するとともに、その先端となるポストテンション方式ＰＣ床版用扁平型定着具のグラウト注入口に圧送ポンプを、終端となるポストテンション方式ＰＣ床版用扁平型定着具のグラウト排出口に真空ポンプ接続し、前記真空ポンプにより前記複数の扁平型ケーブルシース内を減圧しながら、前記圧送ポンプを連続運転して、前記複数の扁平型ケーブルシース内に一度にグラウトを注入・充填するので、ポストテンション方式ＰＣ床版の構築の省力化と工期の大幅な短縮ができ、コストの大幅削減が図れる。
また、低粘性又は超低粘性のグラウトを使用することにより一度に注入できる距離を伸ばすことも可能になる。
【発明を実施するための最良の形態】
【００１０】
本願発明のポストテンション方式ＰＣ床版用扁平型定着具、及び同定着具を使用したポストテンション方式ＰＣ床版、並びに同ポストテンション方式ＰＣ床版の構築方法の実施の形態を実施例の図に基づいて説明する。
図１は本願発明のポストテンション方式ＰＣ床版用扁平型定着具の使用状態を示す断面図、図２はアンカーヘッドと支圧板の上面図及び断面図、図３は横一列に並ぶ複数本のケーブルを同一方向に同時に引張・緊張できるジャッキの外観斜視図、図４は扁平型ケーブルシースが複数本並列配置されたＰＣ床版へのグラウト注入方法の説明図である。
図において１はアンカーヘッド、１ａはウエッジ装着用テーパ孔、２は支圧板、２ａは支圧板部、２ｂはトランペット状管部、２ｃはケーブルシース結合部、２ｄはグラウト注入口（又は排出口）、３はＰＣ鋼より線、４はウエッジ、５は扁平型ケーブルシース、６はコンクリート床版、７は連結ホースを示す。
【００１１】
本願発明のポストテンション方式ＰＣ床版用扁平型定着具は、図２（ａ）（ｂ）に示すアンカーヘッド１と、図２（ｃ）（ｄ）に示す支圧板２とで構成される。
前記アンカーヘッド１は、図２（ａ）（ｂ）に見られるように、直方体又はその各隅角部に丸みを持たせてなる駆体に複数のウエッジ装着用テーパ孔１ａ……が、いずれもその軸線をアンカーヘッド１の平面状の表面に対して直交させ互いに平行になるように穿設されている。
また、支圧板２は、図２（ｃ）（ｄ）に示すように小判形のＰＣ鋼より線挿通孔を有するトランペット状管部２ｂの上端部の外周に、幅広の平板の支圧板部２ａを一体的に設けてなり、この支圧板部２ａを介してＰＣ鋼より線３の緊張をコンクリート床版６にプレストレスとして導入されるように構成されている。そして、前記アンカーヘッド１によってＰＣ鋼より線３が緊張・定着された際、前記アンカーヘッド１に穿設されたウエッジ装着用テーパ孔１ａ……が、いずれもその軸線をアンカーヘッドの平面状の表面に対して直交させ互いに平行になるよう穿設されていることから、支圧板２のケーブルシース結合部２ｃからトランペット状管部２ｂ内で扇状に開かれたＰＣ鋼より線３が、前記ウエッジ装着用テーパ孔１ａの先端部で内側に折り曲げられるが、その角度αが最も大きくなる前記アンカーヘッド１の最外縁部のウエッジ装着用テーパ孔１ａにおいても、該ＰＣ鋼より線３に許容される折り曲げ角度が６°以内となるように前記支圧板２の支圧板部２ａからケーブルシース結合部２ｃまでのトランペット状管部２ｂの長さが調整されている。
【００１２】
本願発明のポストテンション方式ＰＣ床版用扁平定着具は、図１に示すように、支圧板２のケーブルシース結合部２ｃに扁平型ケーブルシース５を結合・接続してコンクリート床版６内に埋設され、前記扁平型ケーブルシース５に挿通された複数本のＰＣ鋼より線３を、前記支圧板２の支圧板部２ａのアンカーヘッド受け台上に配設したアンカーヘッド１の複数のウエッジ装着用テーパ孔１ａ……にそれぞれ１本ずつ挿通して緊張した後、前記アンカーヘッド１の各ウェッジ装着用テーパ孔１ａ……にウエッジ４を嵌入して定着するものである。
従来、このＰＣ鋼より線の緊張・定着作業は、支圧板の端面が曲面になっていたために、前記複数本のＰＣ鋼より線の緊張方向が１本ずつ異なる（図５、図６参照）ため、それぞれの方向に１本ずつ緊張して定着せざるを得なかったが、本願発明のアンカーヘッド１は、そののウエッジ装着用テーパ孔１ａを、その軸線がアンカーヘッド１の平面状の表面に直交し互いに平行になるよう穿設し、前記ウエッジ挿通孔１ａから引き出されるＰＣ鋼より線３が互いに平行状態となり、同一方向に緊張できるので、一括緊張用ジャッキを使用して、複数本のＰＣ鋼より線の緊張・定着が一度に行え、ポストテンション方式床版の両端部で使用され、作業効率のよいポストテンション方式床版の構築に寄与している。
このように両端に配設されたポストテンション方式ＰＣ床版用扁平型定着具で緊張・定着されたＰＣ鋼より線３によってプレストレスが導入されたコンクリート床版６は、さらに前記支圧板２のトランペット状管部２ｂ及び扁平型ケーブルシース５内にセメントグラウトが注入されて、前記セメントグラウトが硬化した後は、コンクリート床版６とＰＣ鋼より線３とが一体化され、かつセメントの高アルカリ性によって緊張材が腐食から守られ、前記コンクリート床版６に導入されたプレストレスは安定して保持されることになる。
【００１３】
本願発明のポストテンション方式ＰＣ床版用扁平型定着具を用いたポストテンション方式ＰＣ床版の構築方法においては、前記アンカーヘッド１の複数のウエッジ装着用テーパ孔１ａ……が、いずれもその軸線をアンカーヘッド１の平面状の表面に対して直交させ互いに平行になるように穿設されているので、該ウエッジ装着用テーパ孔１ａ……からそれぞれ引き出される複数本のＰＣ鋼より線３の先端は平行状態になる。したがって、横一列に並ぶ複数本のケーブルを把持して同一方向に同時に引張・緊張できる図３に示すような外形構造のジャッキを用いれば、複数本のＰＣ鋼より線３を一度に緊張でき、ＰＣ鋼より線３の緊張時間の短縮と省力化が図れ、定着具のコストダウンと相まってＰＣ床版構築経費の低廉化が図れる。
なお、図３に示した横一列に並ぶ複数本のケーブルを把持して同一方向に同時に引張・緊張できるジャッキは、本発明のポストテンション方式ＰＣ床版の構築方法を実施するに当たってあらたに製作したものである。
【００１４】
ポストテンション方式ＰＣ床版においては、図４に示すように、その両端に前記ポストテンション方式ＰＣ床版用扁平型定着具が結合された扁平型ケーブルシース５が複数本コンクリート床版６内に並列して埋設され、そして前記ケーブルシース５内に挿通されたＰＣ鋼より線３が前記ポストテンション方式ＰＣ床版用扁平型定着具によって緊張・定着され、その後にコンクリート床版６内に並列して埋設された複数の支圧板２……のトランペット状管部２ｂ及び扁平型ケーブルシース５……内にそれぞれグラウトを注入して、コンクリート床版６とＰＣ鋼より線３とを一体化するが、本願発明ではこのグラウト注入を次の手順によって行うものとしている。
すなわち、
［１］並列配置された複数の扁平型ケーブルシース５……のいずれかを第１の扁平型ケーブルシースとし、この第１の扁平型ケーブルシース５のグラウト注入側に接続されたポストテンション方式ＰＣ床版用扁平型定着具のグラウト注入口に圧送ポンプを接続し、
［２］この第１の扁平型ケーブルシースのグラウト排出側に接続されたポストテンション方式ＰＣ床版用扁平型定着具のグラウト排出口と第１の扁平型ケーブルシースに隣接する第２の扁平型ケーブルシースのグラウト注入側のポストテンション方式ＰＣ床版用扁平型定着具のグラウト注入口ををホース７により直列に接続し、
［３］さらに第３、第４……の扁平型ケーブルシースが配設される場合には、前記第１と第２の扁平型ケーブルシース間の接続と同様の接続を繰り返すことによって、すべての扁平型ケーブルシースを直列に接続し、
［４］そして接続の最後となった扁平型ケーブルシース５のグラウト排出側に接続されたポストテンション方式ＰＣ床版用扁平型定着具のグラウト排出口に真空ポンプを接続した後、
［５］前記真空ポンプにより前記複数の扁平型ケーブルシース５……内を減圧しながら、前記圧送ポンプを連続運転して、前記複数本の扁平型ケーブルシース５……内に一度にグラウトを注入・充填する。
このグラウト注入方法の採用により、ポストテンション方式ＰＣ床版の構築の省力化と工期の大幅な短縮ができ、コストの大幅削減が図れる。また、低粘性又は超低粘性のグラウトを使用することにより一度に注入できる距離を伸ばすことも可能になる。
なお、我が国では、このグラウト注入の省力化を図るため、あらかじめ遅硬性樹脂のグラウトをＰＣ鋼より線とケーブルシースとの間に充填し、作業現場でのグラウト注入を不要にしたプレグラウトケーブルの使用も行われてきたが、この遅硬性樹脂グラウトの硬化年数が明確でなく懸念がもたれていることを考慮すれば、本願発明のポストテンションＰＣ床版構築方法は、前記プレグラウトケーブルを使用した工法の省力効果を凌駕する技術的、経済的効果が得られる。
【図面の簡単な説明】
【００１５】
【図１】本願発明のポストテンション方式ＰＣ床版用扁平型定着具の使用状態を示す断面図
【図２】本願発明のアンカーヘッドと支圧板の上面図及び断面図
【図３】横一列に並ぶ複数本のケーブルを同一方向に同時に引張・緊張できるジャッキの外観斜視図
【図４】扁平型ケーブルシースが複数本並列配置されたポストテンション方式ＰＣ床版へのグラウト注入方法の説明図
【図５】従来のアンカーヘッドを用いた定着具の外観図
【図６】従来のウエッジ装着用グリップを用いた定着具の外観図
【符号の説明】
【００１６】
１：アンカーヘッド
１ａ；ウエッジ装着用テーパ孔
２：支圧板
２ａ：支圧板部
２ｂ；トランペット状管部
２ｃ：ケーブルシース結合部
２ｄ：グラウト注入口（又は排出口）
３：ＰＣ鋼より線
４：ウエッジ
５：扁平型ケーブルシース
６：コンクリート床版
７：ホース
【図１】
2008231700.tif 000003
【図２】
2008231700.tif 000004
【図３】
2008231700.tif 000005
【図４】
2008231700.tif 000006
【図５】
2008231700.tif 000007
【図６】
2008231700.tif 000008